(57)【要約】【課題】原稿の頁順序が入れ替わる等の原稿異常を検出することのできる画像読取装置を提供する。【解決手段】プリンタ４は、通信部４２によって、プリントジョブとして画像データ及び付加情報を受け付け、画像形成部４３は画像データと共に付加情報を用紙上に印刷する。この印刷物を原稿として、ユーザがＭＦＰ５に複写を依頼した場合、付加情報認識部５３１によって認識された付加情報から、制御装置５９が原稿の頁順序等の異常を検出し、画像処理部５４によって画像の並べ替え等の処理が行われる。【選択図】図２
2010056603.tif 000002
【特許請求の範囲】
【請求項１】
原稿の頁順序を表す順序情報が各頁に付された原稿を読取可能な画像処理システムであって、
原稿の各頁の画像を読み取って画像データを得る画像読取部と、
上記順序情報を認識する順序情報認識部と、
上記順序情報認識部の認識結果から上記順序の異常を検出する順序異常検出部と、
を備える画像処理システム。
【請求項２】
上記画像読取部によって読み取られる原稿の頁数をカウントする頁数カウント部をさらに備え、
上記順序異常検出部は、各頁について上記順序情報認識部の認識結果と上記頁数カウント部のカウント結果とを比較して、両者が一致しなければ上記順序に異常が有ると判断するようになっている、
請求項１に記載の画像処理システム。
【請求項３】
上記順序異常検出部は、上記頁の順序の入れ替わりを上記順序の異常として検出可能になっており、
上記画像読取部の得た画像データを上記順序情報に沿って並べ替える並替実行部をさらに備える、
請求項１又は２に記載の画像処理システム。
【請求項４】
上記順序異常検出部は、上記頁の抜けを異常として検出可能になっており、
抜けている頁の補充をユーザに求める抜け頁補充要求部と、
補充された頁の画像データを、上記画像読取部が得た画像データ内で、上記補充された頁の位置に挿入する第１挿入実行部と、
をさらに備える、
請求項１〜３のいずれか１項に記載の画像処理システム。
【請求項５】
上記原稿は、１組の原稿の頁総数を表す頁総数情報を有し、
上記頁数情報を認識する頁総数情報認識部と、
上記画像読取部が１組として読み取られた原稿の頁総数をカウントする頁総数カウンタと、
上記頁総数情報と上記頁総数カウンタのカウント結果とを比較して、両者が一致しなければ異常有りと判断する頁数異常検出部と、をさらに備える、
請求項１〜４のいずれか１項に記載の画像処理システム。
【請求項６】
上記頁数異常検出部は、頁数の不足を検出可能になっており、
不足の頁の補充をユーザに求める不足頁補充要求部と、
補充された頁の画像データを、上記画像読取部が得た画像データ内で、上記補充された頁の位置に挿入する第２挿入実行部と、
をさらに備える、
請求項５に記載の画像処理システム。
【請求項７】
原稿の各頁は原稿の組を区別する組情報を有し、
上記組情報を認識する組情報認識部と、
上記組情報から、上記画像読取部によって１組として読み取られる原稿が異なる２以上の組情報を含むと、上記原稿に異常有りと判断する組異常検出部と、をさらに備える、
請求項１〜６のいずれか１項に記載の画像処理システム。
【請求項８】
上記組情報認識部は、各組の原稿の画像データのファイル名を上記組情報として認識するようになっている、
請求項７に記載の画像処理システム。
【請求項９】
上記画像読取部が得た画像データに基づいて用紙への印刷を行う画像形成部と、
上記組異常検出部が上原稿に異常有りと判断すると、上記２以上の組情報に係る原稿のうち、いずれの組情報に係る原稿を印刷するかを選択させる組選択要求部と、
をさらに備える請求項７又は８に記載の画像処理システム。
【請求項１０】
上記原稿はユーザ毎に設定されたユーザ情報を有し、
上記ユーザ情報を認識するユーザ情報認識部と、
上記画像読取部が１組として読み取る原稿内に、２種以上のユーザ情報が含まれていれば上記原稿に異常有りと判断するユーザ情報異常検出部と、をさらに備える、
請求項１〜９のいずれか１項に記載の画像処理システム。
【請求項１１】
上記画像読取部が得た画像データに基づいて用紙への印刷を行う画像形成部と、
上記ユーザ情報異常検出部が上原稿に異常有りと判断すると、上記２以上のユーザ情報に係る原稿のうち、いずれのユーザ情報に係る原稿を印刷するかを選択させるユーザ情報選択要求部と、
をさらに備える請求項１０に記載の画像処理システム。
【請求項１２】
上記原稿に、上記順序情報、上記頁総数情報、上記組情報、及び上記ユーザ情報の少なくとも１つを付す情報付加部をさらに備える、
請求項１〜１１のいずれか１項に記載の画像処理システム。
【発明の詳細な説明】
【技術分野】
【０００１】
本発明は、画像読取等を行う画像処理システムに関する。
【背景技術】
【０００２】
画像形成装置で印刷された用紙が、それを原稿としてコピー等を目的とした読み取りに用いられることがある。例えば、オフィスにおいて、ユーザが身近に置いてある低速プリンタで１部の原稿を印刷し、これを高速ＭＦＰで大量印刷するような場合である。この場合、低速プリンタから高速ＭＦＰまでユーザが原稿を移動させる間に、複数組の（複数の印刷ジョブの）印刷物が混合することがある。
【０００３】
特許文献１には、複数の印刷ジョブの印刷物が混ざった状態でユーザが印刷物を持ち去るのを防ぐために、プリンタの排紙トレイから取り除かれた出力紙の中に、２以上のユーザからの印字要求により作成された印刷物が混在している可能性があるかどうかを印刷物混合判定部によって判定し、この判定に基づいて音声等によって警告を行う画像形成装置が記載されている。
【特許文献１】特開２００４‐１７３２１０号公報
【発明の開示】
【発明が解決しようとする課題】
【０００４】
特許文献１の技術により警告を行っても、一旦取り上げた印刷物を排紙トレイ上に戻す等の動作をユーザが行うことによって、印刷物の頁順序に入れ替わりや抜け等の異常（乱れ）が生じることがある。そして、このように頁順序に異常が生じた印刷物を原稿として行われた読取やコピーでは、ユーザの所望の画像データや複写物が得られない。
【０００５】
そこで、本発明は、このような従来の技術の問題点に鑑み、原稿の順序の異常を検出することのできる技術を提供することを目的とする。
【課題を解決するための手段】
【０００６】
上記課題を解決するために、請求項１の発明は、原稿の頁順序を表す順序情報が各頁に付された原稿を読取可能な画像処理システムであって、原稿の各頁の画像を読み取って画像データを得る画像読取部と、上記順序情報を認識する順序情報認識部と、上記順序情報認識部の認識結果から上記順序の異常を検出する順序異常検出部と、を備える。
【０００７】
この画像処理システムによると、頁順序を表す順序情報から頁順序の異常を検出することができる。
【０００８】
また、請求項２に記載するように、請求項１の画像処理システムは、上記画像読取部によって読み取られる原稿の頁数をカウントする頁数カウント部をさらに備え、上記順序異常検出部は、各頁について上記順序情報認識部の認識結果と上記頁数カウント部のカウント結果とを比較して、両者が一致しなければ上記順序に異常が有ると判断するようになっていてもよい。
【０００９】
また、請求項３に記載するように、請求項１又は２の画像処理システムにおいて、上記順序異常検出部は、上記頁の順序の入れ替わりを上記順序の異常として検出可能になっており、上記画像読取部の得た画像データを上記順序情報に沿って並べ替える並替実行部をさらに備えていてもよい。
【００１０】
また、請求項４に記載するように、請求項１〜３のいずれか１項に記載の画像処理システムにおいて、上記順序異常検出部は上記頁の抜けを異常として検出可能になっており、画像処理システムは、抜けている頁の補充をユーザに求める抜け頁補充要求部と、補充された頁の画像データを、上記画像読取部が得た画像データ内で、上記補充された頁の位置に挿入する第１挿入実行部と、をさらに備えていてもよい。
【００１１】
また、請求項５に記載するように、上記原稿は１組の原稿の頁総数を表す頁総数情報を有してもよく、請求項１〜４のいずれか１項に記載の画像処理システムは、上記頁数情報を認識する頁総数情報認識部と、上記画像読取部が１組として読み取られた原稿の頁総数をカウントする頁総数カウンタと、上記頁総数情報と上記頁総数カウンタのカウント結果とを比較して、両者が一致しなければ異常有りと判断する頁数異常検出部と、をさらに備えていてもよい。
【００１２】
また、請求項６に記載するように、請求項５に記載の画像処理システムにおいて、上記頁数異常検出部は頁数の不足を検出可能になっており、画像処理システムは、不足の頁の補充をユーザに求める不足頁補充要求部と、補充された頁の画像データを上記画像読取部が得た画像データ内で上記補充された頁の位置に挿入する第２挿入実行部と、をさらに備えていてもよい。
【００１３】
また、請求項７に記載するように、原稿の各頁は原稿の組を区別する組情報を有していてもよく、請求項１〜６のいずれか１項に記載の画像処理システムは、上記画像処理システムは、上記組情報を認識する組情報認識部と、上記組情報から、上記画像読取部によって１組として読み取られる原稿が異なる２以上の組情報を含むと、上記原稿に異常有りと判断する組異常検出部と、をさらに備えていてもよい。
【００１４】
また、請求項８に記載するように、請求項７の画像処理システムにおいて、上記組情報認識部は、各組の原稿の画像データのファイル名を上記組情報として認識するようになっていてもよい。
【００１５】
また、請求項９に記載するように、請求項７又は８の画像処理システムは、上記画像読取部が得た画像データに基づいて用紙への印刷を行う画像形成部と、上記組異常検出部が上原稿に異常有りと判断すると、上記２以上の組情報に係る原稿のうち、いずれの組情報に係る原稿を印刷するかを選択させる組選択要求部と、をさらに備えていてもよい。
【００１６】
また、請求項１０に記載するように、請求項１〜９のいずれか１項の画像処理システムにおいて、上記原稿はユーザ毎に設定されたユーザ情報を有し、上記画像処理システムは、上記ユーザ情報を認識するユーザ情報認識部と、上記画像読取部が１組として読み取る原稿内に、２種以上のユーザ情報が含まれていれば上記原稿に異常有りと判断するユーザ情報異常検出部と、をさらに備えていてもよい。
【００１７】
また、請求項１１に記載するように、請求項１０の画像処理システムは、上記画像読取部が得た画像データに基づいて用紙への印刷を行う画像形成部と、上記ユーザ情報異常検出部が上原稿に異常有りと判断すると、上記２以上のユーザ情報に係る原稿のうち、いずれのユーザ情報に係る原稿を印刷するかを選択させる組選択要求部と、をさらに備えていてもよい。
【００１８】
また、請求項１２に記載するように、請求項１〜１１のいずれか１項の画像処理システムは、上記原稿に、上記順序情報、上記頁総数情報、上記組情報、及び上記ユーザ情報の少なくとも１つを付す情報付加部をさらに備えてもよい。
【発明の効果】
【００１９】
本発明の画像処理システムは、頁順序を表す順序情報から頁順序の異常を検出することができる。
【発明を実施するための最良の形態】
【００２０】
〔１〕第１実施形態
（1-1）画像形成システム１
本発明の実施の一形態である画像形成システム１について、図１及び図２を参照して説明する。図１は画像形成システム１を含む通信システム１００の概要を示す図面であり、図２は画像形成システム１の要部構成を示すブロック図である。
【００２１】
図１に示すように、通信システム１００は、画像形成システム１及び複数のＰＣ（Personal Computer）２並びにこれらを通信可能に接続する通信ネットワーク３等を備える。
【００２２】
画像形成システム１は、低速プリンタ４及び高速ＭＦＰ（MultiFunction Peripheral）５を備える。低速プリンタ４及び高速ＭＦＰ５は、それぞれが通信ネットワーク３に接続している。
【００２３】
ＰＣ２は、個々のユーザが使用しており、ユーザは自分のＰＣ２から、プリンタ４又はＭＦＰ５にプリントジョブを依頼することができる。
【００２４】
（1-2）プリンタ４
［構成］
図１及び図２に示すように、プリンタ４は、排紙トレイ４１、通信部４２、画像形成部４３、用紙搬送部４４、及び制御装置４５等を備える。排紙トレイ４１は画像形成部４３により作成された印刷物を受け取る。通信部４２は、ＰＣ２からプリントジョブの依頼を受ける。画像形成部４３は、画像データに沿って用紙上に画像を印刷して印刷物を作成することで、通信部４２の受け付けたプリントジョブを実行する。用紙搬送部４４は図示しない用紙収容部から画像形成部４３へ用紙を供給し、画像形成部４３の作成した印刷物を排紙トレイ４１まで搬送する。
【００２５】
制御装置４５は、プリンタ４内の各部の動作を制御する。具体的には、制御装置４５は、ＣＰＵ（Central Processing Unit）等の制御部、並びにＲＡＭ（Random Access Memory）、ＲＯＭ（Read Only Memory）、及びＨＤＤ（Hard Disk Drive）等の記憶装置を備える。ＣＰＵはＲＯＭ内のプログラムを読み出して実行し、ＲＡＭはＣＰＵの作業領域として機能する。
【００２６】
なお、本明細書において、「画像データ」とは、文書データを含み、文字、記号、図、その他の画像の情報を含む。
【００２７】
［動作］
通信部４２は、プリントジョブの依頼受け付け時に、画像データと共に、そのプリントジョブに付された付加情報を、ＰＣ２から受け取る。
【００２８】
付加情報としては、順序情報、頁総数、組情報、及びユーザ情報等が挙げられる。また、１つのプリントジョブに、複数の付加情報が付されていてもよい。本実施形態では、１つのプリントジョブに、これらの４つの情報が全て付加情報として付加されている。
【００２９】
順序情報とは、そのプリントジョブにて印刷される各頁が最初の頁から何番目に当たるかの順序を示す情報であり、例えば頁番号がこれに当たる。頁番号は、ＰＣ２から送信される他、制御装置４５が各頁に付してもよい。
【００３０】
頁総数は、そのプリントジョブにて印刷される頁の総数である。頁総数はＰＣ２から送信されてもよいし、制御装置４５が画像データから頁総数を数えるようになっていてもよい。
【００３１】
組情報は、１組の印刷物を構成する頁を、他の組の印刷物の頁と区別することのできる情報である。本実施形態では、「１つのプリントジョブ」で作成される印刷物が、１組の印刷物となる。組情報としては、例えば１つのプリントジョブで印刷される画像データのファイル名が挙げられる。ファイル名とは、そのプリントジョブで印刷される画像データに付された名前であり、ユーザによりＰＣ２のキーボード等を介して入力される。
【００３２】
なお、１つのプリントジョブで作成される印刷物を１つの組とする場合に、組情報として、ユーザ名と印刷日時とを組み合わせたもの等をファイル名の他に用いることもできる。また、「１つの組」を、１つのプリントジョブで作成される印刷物とする以外に、同日に同ユーザが依頼したジョブにより作成される印刷物としてもよいし、１つのプリントジョブで作成される印刷物を区分けして、その区分けの１つを「組」としてもよい。
【００３３】
ユーザ情報は、ユーザ毎に設定され、個人を特定できる情報である。ユーザ情報としては、例えば社員番号や各ユーザの使用するＰＣのアドレス等が挙げられる。なお、ユーザ情報は、それ自体がＰＣ２から送信される必要はなく、例えばユーザ情報が社員番号であるとき、制御装置４５の記憶装置がＰＣのアドレスとそのＰＣを使用する社員番号とを対応付けて記憶しており、プリントジョブの依頼元のＰＣのアドレスに対応する社員番号を、制御装置４５がユーザ情報として選択するようになっていてもよい。
【００３４】
こうしてプリントジョブについて画像データと付加情報とを取得すると、プリンタ４は、制御装置４５の制御の下で画像形成部４３及び用紙搬送部４４によりプリントジョブを実行する。このとき、制御装置４５は、画像形成部４３を制御して、印刷物上に付加情報も印刷させる。
【００３５】
付加情報は、ヘッダ若しくはフッタのように本文以外の部分に文字列として印刷されてもよいし、ユーザの目には分からないように、ドットや記号等により印刷されてもよいし、地紋印刷により印刷されてもよい。
【００３６】
例えば頁番号であれば、通常の印刷物の頁番号と同じく、ヘッダ又はフッタとして各頁に印刷されればよい。また、頁総数は全ての頁に印刷されることが好ましいが、例えば特定の頁（最初の頁、最後の頁、頁番号が奇数又は偶数の頁等）に印刷されてもよい。ファイル名及びユーザ情報も全ての頁に印刷されることが好ましい。
【００３７】
（1-3）ＭＦＰ５
［構成］
図１及び図２に示すように、ＭＦＰ５は、原稿トレイ５１、画像読取部５２、原稿搬送部５３、付加情報認識部５３１、枚数カウンタ５３２、画像処理部５４、画像形成部５５、用紙搬送部５６、排紙トレイ５７、操作パネル５８、制御装置５９、用紙カセット５１１等を備える。
【００３８】
画像読取部５２は、原稿から画像を読み取って画像データを得る。画像読取部５２は、原稿搬送部５３によって搬送中の原稿及び図示しない原稿載置台上に載置された原稿のいずれからも画像データを取得することができる。具体的には、画像読取部５２は、原稿を照明する光源、原稿からの反射光を検出するＣＣＤやＣＭＯＳ等のイメージセンサ、及び光源からの光を原稿に導いたり、原稿からの反射光をイメージセンサに導いたりするミラーやレンズ等の光学部材等を備える。
【００３９】
原稿搬送部５３は、原稿トレイ５１上に載置された１組の原稿束から、原稿を順に１枚ずつ画像読取部５２に供給し、読取後の原稿を図示しない原稿排出トレイ上に排出する。
【００４０】
付加情報認識部５３１は、ＯＣＲ（Optical Character Reader）又は地紋認識機能等を備えて、画像読取部５２の得た画像データ中の付加情報を認識するようになっている。すなわち、付加情報認識部５３１は、順序情報認識部、頁総数情報認識部、組情報認識部、ユーザ情報認識部として機能する。
【００４１】
枚数カウンタ５３２は、原稿の頁数をカウントする頁数カウント部の一例であり、画像読取部５２によって読み取られる原稿の枚数をカウントする。具体的には、枚数カウンタ５３２は、原稿搬送部５３によって搬送される原稿の移動経路上に設けられた原稿センサ及びこの原稿センサが原稿を検出する回数をカウントするカウンタ部を備えていてもよい。また、枚数カウンタ５３２は、原稿載置台上に原稿が載せられ、操作パネル５８がスタートキー（図示せず）を押下されることで読取開始指示を受け付けた回数をカウントするようになっていてもよい。
【００４２】
画像処理部５４は、画像読取部５２が取得した画像データについて、並べ替えや挿入等の処理を行う。
【００４３】
付加情報認識部５３１、枚数カウンタ５３２、及び画像処理部５４は、ハードウェアによって実現されてもよいし、ＣＰＵがプログラムを実行することによって実現されてもよい。
【００４４】
画像形成部５５は、画像データに沿って用紙上に画像を印刷して印刷物を作成することで、印刷ジョブ（プリントジョブ及びコピージョブ）を実行する。
【００４５】
用紙搬送部５６は、用紙を収容する用紙カセット５１１から画像形成部５５へ用紙を供給し、画像形成部５５の作成した印刷物を排紙トレイ５７まで搬送する。
【００４６】
排紙トレイ５７は、画像形成部５５で作成された印刷物を受け取る。
【００４７】
操作パネル５８はタッチパネル及びハードキー等を備える。タッチパネルは液晶表示パネル及びタッチセンサを備える。液晶表示パネルは、画像を表示することで種々の情報をユーザに提供する。タッチセンサ及びハードキーは、ユーザからの指示を受け付けることができる。
【００４８】
制御装置５９はＭＦＰ５内の各部の動作を制御する。制御装置５９は特に原稿の異常（順序情報異常、頁総数異常、組情報異常、ユーザ情報異常）を検出する原稿異常検出部として機能すると共に、この検出結果に応じて画像処理部５４等の動作を制御する機能を有する。具体的には、制御装置５９は、ＣＰＵ等の制御部、並びにＲＡＭ、ＲＯＭ、及びＨＤＤ等の記憶装置を備える。ＣＰＵはＲＯＭ内のプログラムを読み出して実行し、ＲＡＭはＣＰＵの作業領域として機能する。
【００４９】
［動作］
１．原稿異常検出とリカバリー
同一の印刷物を複数セット得たいとき、ユーザは、データを１部プリントアウトし、その１部の印刷物を原稿としてコピーを行い、複数セットの印刷物を得ることがある。そこで、ユーザがプリンタ４でプリントアウトした印刷物を用いたコピーを希望する場合の、ＭＦＰ５の動作について、図３のフローチャートを参照して説明する。
【００５０】
ユーザはプリンタ４の排紙トレイ４１上に排出された印刷物を、ＭＦＰ５の原稿トレイ５１に載せる。制御装置５９は、操作パネル５８を介して受け付けたユーザの指示に従って原稿搬送部５３及び画像読取部５２を制御し、この印刷物を１組の原稿とした画像読取を行う（ステップＳ１１）。そして、付加情報認識部５３１は、原稿上の付加情報を読み取る（ステップＳ１２）。さらに枚数カウンタ５３２が原稿の頁数を第１頁から順にカウントする（ステップＳ１３）。
【００５１】
制御装置５９は、１組の原稿内の各頁について、付加情報認識部５３１の認識した頁番号と、枚数カウンタ５３２のカウント結果とを比較する（ステップＳ１４）。
【００５２】
また、制御装置５９は、１組の原稿について、付加情報認識部５３１の認識した頁総数と、枚数カウンタ５３２のカウント結果とを比較する（ステップＳ１５）。
【００５３】
また、制御装置５９は、１組の原稿内で、付加情報認識部５３１が認識したファイル名が複数種類（２種類以上）存在するか否かを判定する（ステップＳ１６）。この判定においては、制御装置５９は、例えば第１頁に付されたファイル名を基準として、これと第２頁以降に付されたファイル名とを比較して、異なるファイル名が含まれていれば、複数種類のファイル名が含まれると判定可能である。
【００５４】
また、制御装置５９は、１組の原稿内で、付加情報認識部５３１が認識したユーザ情報が複数種類（２種類以上）存在するか否かを判定する（ステップＳ１７）。この判定においては、制御装置５９は、ファイル名についての判定と同様に、第１頁に付されたユーザ情報を基準として、これと第２頁以降に付されたユーザ情報とを比較して、異なるユーザ情報が含まれていれば、複数種類のユーザ情報が含まれると判定可能である。
【００５５】
以上のステップＳ１４〜Ｓ１７のうちの少なくとも１つの判断において、原稿に異常有り（ステップＳ１４及びＳ１５で“不一致”、ステップＳ１６及びＳ１７で複数のファイル名又はユーザ情報“有り”）と判断されれば、制御装置５９は操作パネル５８の液晶表示パネルに、警告を表示させる（ステップＳ１８）。
【００５６】
この表示を見たユーザからの指示、又は予めなされていた設定が、リカバリーを実行すべきとするものであれば、制御装置５９はＭＦＰ５の各部を制御して、リカバリー処理を行う（ステップＳ１９でＹｅｓ→Ｓ２０）。そして、リカバリーが完了すれば、印刷が実行される（ステップＳ２３）。また、リカバリーを実行しない場合も、ユーザからの指示や予めなされていた設定が、印刷を実行すべきとするものであれば（ステップＳ２２でＹｅｓ）、印刷が実行される（ステップＳ２３）。
【００５７】
ここで、原稿異常のさらに具体的な例、並びに警告及びリカバリー処理について（ステップＳ１４〜Ｓ２１）、図４〜図８を参照して説明する。図４の四角は原稿の各頁を表し、原稿の下方の数字は頁数のカウント結果を、図４（ａ）〜（ｂ）の原稿内の数字は付加情報による頁番号を、図４（ｃ）の原稿内の数字は付加情報による頁総数を、図４（ｄ）の原稿内のアルファベットは、付加情報におけるファイル名又はユーザ情報を示す。なお、図４（ｃ）及び（ｄ）の原稿には、頁番号も付されているが、図示は省略するものとする。図５〜図８は、ステップＳ１８で表示される警告の一例を示す図面である。
【００５８】
図４（ａ）に示すように、原稿の頁の順序が乱れており、第３頁と第４頁とが入れ替わっている場合、制御装置５９はステップＳ１４において頁の入れ替わりを検出し、図５（ａ）又は（ｂ）の警告表示を操作パネル５８に表示させる。
【００５９】
図５（ａ）の表示画面は、リカバリーを自動で行うよう設定がなされている場合の表示画面である。この表示画面では、異常の内容つまり原稿の順序が正しくないこと、及び自動でリカバリーを行う旨のメッセージ、さらに、リカバリー中止の指示を受け付ける中止ボタンが表示される。この画面で中止ボタンが押されなければ、制御装置５９の制御の下、画像処理部５４が第３頁の画像と第４頁の画像とを入れ替えるリカバリー処理を行う。
【００６０】
図５（ｂ）は手動でリカバリーを行うよう設定がなされている場合の表示画面である。この表示画面では、異常の内容、並びにリカバリー実行の指示を受け付ける実行ボタン及びリカバリーを中止する中止ボタンが表示される。実行ボタンが押下されれば、画像処理部５４はリカバリー処理を行う。
【００６１】
また、図４（ｂ）に示す例では、第１〜第２頁ではカウント結果と付加情報の頁番号とが一致しているものの、第３〜第４頁としてカウントされた頁の付加情報の頁番号が４及び５である。
【００６２】
この場合、表示画面は、図６に示すように、原稿に抜けがあることをユーザに報知するメッセージ、及びユーザに原稿の追加を求めるメッセージを含む。特に、付加情報の読取結果から、第３頁が抜けていることが分かるので、図６の画面では、第３頁を原稿トレイ５１にセットするように求めている。そして、この画面には、実行ボタンと中止ボタンとが設けられており、抜けていた原稿をセット後、実行ボタンが押下されれば、抜けていた頁の読み取りが実行されると共に、この頁を読み取って得られた画像が、第３頁として第２頁の画像と第４頁の画像との間に挿入される。
【００６３】
また、図４（ｃ）に示す例では、付加情報による頁総数が“５”であって、カウント結果による頁総数が“６”である。そこで、制御装置５９は、図７に示す画面を操作パネル５８に表示させる。この表示画面には、異なる原稿が混在していることを知らせるメッセージ、ユーザに原稿の確認を行うように促すメッセージ、読み取りの再実行指示を受け付ける実行ボタン等が含まれる。
【００６４】
例えば、ユーザがコピーしたい原稿の各頁に１〜５の頁番号が付されており、混在している他の原稿に“６”の頁番号が付加情報として付されている場合に、頁番号のみでは原稿の混在を検出することができないところ、図４（ｃ）の例のように頁総数が付されていれば、余分な原稿が１頁混在していることを認識することができる。
【００６５】
また、図４（ｄ）に示す例において、アルファベットを、付加情報によるユーザ情報であるとすると、第４頁のユーザ情報Ｂが、他の頁のユーザ情報Ａとは異なる。そこで、制御装置５９は、図８に示す画面を操作パネル５８に表示させる。この表示画面は、異なるユーザの原稿が混在していることを知らせるメッセージ、読み取った原稿に含まれるユーザ情報、これらのユーザ情報から１つを選択するように促すメッセージ及び選択に用いるチェックボックス、並びに選択後のリカバリー実行指示をユーザから受け付ける実行ボタン等を備える。
【００６６】
この例では、頁番号や頁総数がカウント結果と付加情報とで一致していても、異なるユーザの原稿が混在しているときには、それを検出することができる。そして、どの原稿を印刷するかを、ユーザに選択させることができる。
【００６７】
また、ＭＦＰ５が個人認証機能を有していれば、制御装置５９は、コピーを行おうとしているユーザのユーザ情報に一致する頁のみを自動的に選択して、画像形成部５５に印刷を実行させることができる。個人認証機能は、ＭＦＰ５が、操作パネル５８又は図示しないカードリーダ等によって、ユーザからＩＤ及びパスワード等の情報を受付け、制御装置５９が記憶装置で記憶しているＩＤ及びパスワード等と受け付けた情報とを比較することによって、実現される。
【００６８】
また、図４（ｄ）に示す例において、アルファベットを、付加情報によるファイル名であるとした場合も同様である。すなわち、第４頁のファイル名Ｂが、他の頁のファイル名Ａとは異なるので、制御装置５９は、上述の図８の表示画面と略同様の画面、すなわち、異なるファイルの原稿が混在していることを知らせるメッセージ、読み取った原稿に含まれるファイル名、これらのファイルから１つを選択するように促すメッセージ及び選択に用いるチェックボックス、並びに選択後のリカバリー実行指示をユーザから受け付ける実行ボタン等を備える画面を、操作パネル５８に表示させる。
【００６９】
この例でも、頁番号や頁総数がカウント結果と付加情報とで一致していても、異なるユーザの原稿が混在しているときには、それを検出することができる。そして、どの原稿を印刷するかを、ユーザに選択させることができる。
【００７０】
以上の説明から明らかなように、制御装置５９は、原稿の頁の順序の異常を検出する順序異常検出部、頁数の異常を検出する頁数異常検出部、１組として読み取られるべき原稿に他の組の原稿が混入していることを検出する組異常検出部、１組として読み取られるべき原稿に２以上のユーザの原稿が混在していることを検出するユーザ情報異常検出部として機能する。
【００７１】
２．リカバリー設定
図５（ａ）及び（ｂ）を参照して説明したように、リカバリーは自動で実行されてもよいし、手動で実行されてもよい。リカバリー実行の自動／手動の設定は、読取実行前に、予めなされていればよい。
【００７２】
〔２〕他の実施形態
（ｉ）第１実施形態では、付加情報を原稿に付す機能とこの付加情報を読み取る機能とが、プリンタ４とＭＦＰ５という別々の装置に設けられているが、本発明はこれに限定されるものではない。例えば、プリンタ機能とコピー機能とを有する１つの装置に、これら両機能が備えられていてもよい。
【００７３】
なお、「画像処理システム」とは、「画像読取装置」、「画像形成装置」、「画像処理装置」、及び「画像形成システム」の個々を指す場合もあるし、これらの装置のうちの２以上をまとめて画像処理システムと呼ぶこともある。
【００７４】
（ｉｉ）ＭＦＰ５は、本発明の画像処理システムの一例に過ぎず、本発明は画像形成機能を備えない画像読取装置にも適用可能である。
【００７５】
（ｉｉｉ）プリンタ４では画像形成部４３が、原稿に付加情報を付す情報付加部として機能し、印刷によって付加情報を付している。しかし、本発明はこれに限定されず、情報付加部は、印刷以外の方法によって付加情報を付すものであってもよい。
【００７６】
（ｉｖ）ＭＦＰ５では、制御装置５９が、ソフトウェアにより順序異常検出部、頁数異常検出部、組異常検出部、及びユーザ情報異常検出部を実現するものとしたが、各機能部は、ハードウェアによって実現されてもよい。
【００７７】
（ｖ）ＭＦＰ５において、付加情報認識部５３１は、画像読取部５２が原稿を読み取って得た画像データから付加情報を認識するものとしたが、付加情報を認識する方法はこれに限定されるものではない。
【００７８】
（ｖｉ）ＭＦＰ５では、画像処理部５４が、並替実行部並びに第１及び第２挿入実行部として機能し、頁の入れ替えや挿入といった処理をデータ上で行う。ただし、これ以外にも、制御装置５９が用紙搬送部５６を制御することで、作成された印刷物の順序を入れ替えたり、頁を挿入したりできるようになっていても、ユーザに所望の印刷物を提供することができる。
【００７９】
（ｖｉｉ）ＭＦＰ５では、操作パネル５８が、制御装置５９の制御を受けて図５〜図８の画面を表示することによって、ユーザに頁の補充、原稿の確認、印刷すべき原稿の選択等の作業を求める。つまり、操作パネル５８は、抜け頁補充要求部、不足頁補充要求部、組選択要求部、ユーザ情報選択要求部等として機能する。ただし、これらの機能部は、スピーカを用いて音声によってユーザに頁の補充を求める等、他の構成によっても実現可能である。
【図面の簡単な説明】
【００８０】
【図１】本発明の実施の一形態に係る画像形成システム１を備える通信システム１００の概要を示す図面である。
【図２】画像形成システム１のプリンタ４及びＭＦＰ５の要部構成を示すブロック図である。
【図３】ＭＦＰ５における原稿異常検出及びリカバリー処理の流れを示すフローチャートである。
【図４】（ａ）〜（ｄ）は、原稿異常の例を模式的に示す図面である。
【図５】原稿の頁順序が入れ替わっているときの表示画面の一例であり、（ａ）は、リカバリーを自動で行うよう設定がなされているときの、（ｂ）は手動でリカバリーを行うよう設定がなされているときの表示画面の一例である。
【図６】原稿に抜けがあるときの表示画面を示す図面である。
【図７】原稿に余分な頁が混入しているときの表示画面を示す図面である。
【図８】２以上のユーザ情報が原稿に含まれているときの表示画面を示す図面である。
【符号の説明】
【００８１】
１    画像形成システム
１００  通信システム
２      ＰＣ
３      通信ネットワーク
４      プリンタ
４１    排紙トレイ
４２    通信部
４３    画像形成部
４４    用紙搬送部
４５    制御装置
５      ＭＦＰ
５１    原稿トレイ
５２    画像読取部
５３    原稿搬送部
５４    画像処理部
５５    画像形成部
５８    操作パネル
５９    制御装置
【図１】
2010056603.tif 000003
【図２】
2010056603.tif 000004
【図３】
2010056603.tif 000005
【図４】
2010056603.tif 000006
【図５】
2010056603.tif 000007
【図６】
2010056603.tif 000008
【図７】
2010056603.tif 000009
【図８】
2010056603.tif 000010